【手続補正書】
【提出日】平成26年4月16日(2014.4.16)
【手続補正１】
【補正対象書類名】明細書
【補正対象項目名】０１４７
【補正方法】変更
【補正の内容】
【０１４７】
本発明の様々な実施形態が説明されている。これらの実施形態、及び他の実施形態は、以下の特許請求の範囲内に含まれる。本発明の実施態様の一部を以下の項目［１］−［４７］に記載する。
［１］
第１の複数の高分子層を含む第１パケットを形成する、第１パケット創出装置であって、前記第１の複数の層が、少なくとも４つの第１個別高分子層を含む、第１パケット創出装置と、
第２の複数の高分子層を含む第２パケットを形成する、第２パケット創出装置であって、前記第２の複数の層が、少なくとも４つの第２個別高分子層を含み、前記第１パケット創出装置が、前記第１個別高分子層を、互いにほぼ同時に形成するように構成され、前記第２パケット創出装置が、前記第２個別高分子層を、互いにほぼ同時に形成するように構成される、第２パケット創出装置と、
前記第１パケットと前記第２パケットとを結合するように構成される、パケット結合装置であって、前記パケット結合装置は、
前記第１パケット創出装置から前記第１パケットを受け取る第１チャネルと、
前記第２パケット創出装置から前記第２パケットを受け取る第２チャネルと、を含み、
前記第１チャネル及び前記第２チャネルが、前記第１パケットと前記第２パケットとを結合して、前記第１の複数の高分子層及び第２の複数の高分子層を含む、多層ストリームを形成するように構成される、パケット結合装置と、を含む、フィードブロック。
［２］
前記フィードブロックが、前記第１パケット創出装置を、実質的に、前記第２パケット創出装置から熱的に分離するように構成される、項目１に記載のフィードブロック。
［３］
前記第１パケットが、実質的に第１のフロー方向で形成され、前記第２パケットが、実質的に第２のフロー方向で形成され、前記第１のフロー方向及び前記第２のフロー方向が、ほぼ同じである、項目１に記載のフィードブロック。
［４］
前記フィードブロックが、第３の複数の高分子層を含む第３パケットを形成する、第３パケット創出装置を更に含み、前記パケット結合装置が、前記第３パケット創出装置から前記第３パケットを受け取る、第３チャネルを更に含み、前記第１、第２、及び第３のチャネルが、前記第１、第２、及び第３のパケットを結合して、前記多層フローストリームを形成するように構成され、前記多層フローストリームが、前記第１、第２、及び第３の複数の高分子層を含む、項目１に記載のフィードブロック。
［５］
前記第１チャネル及び前記第２チャネルが、前記第１パケット及び前記第２パケットを、互いに結合させる際に、実質的に完全に積み重ねるように構成される、項目１に記載のフィードブロック。
［６］
前記フィードブロックが、前記第１パケット創出装置の近位の、少なくとも１つの第１熱的同調機構、及び前記第２パケット創出装置の近位の、少なくとも１つの第２熱的同調機構を更に含み、前記少なくとも１つの第１熱的同調機構が、前記第１パケット創出装置の第１部分に、選択的に熱を提供するように構成され、前記少なくとも１つの第２熱的同調機構が、前記第２パケット創出装置の第２部分に、選択的に熱を提供するように構成される、項目１に記載のフィードブロック。
［７］
前記第１パケット創出装置が、前記第１の複数の高分子層を実質的に構成する、第１材料及び第２材料を受け取るように構成され、前記第２パケット創出装置が、前記第２の複数の高分子層を実質的に構成する、第３材料及び第４材料を受け取るように構成される、項目１に記載のフィードブロック。
［８］
前記第１材料が、実質的に前記第３材料と同じであり、前記第２材料が、実質的に前記第４材料と同じである、項目７に記載のフィードブロック。
［９］
前記第１の複数の高分子層内の層の数が、前記第２の複数の高分子層とほぼ等しい、項目１に記載のフィードブロック。
［１０］
前記第１パケットが、実質的に第１のフロー方向で形成され、前記第２パケットが、実質的に第２のフロー方向で形成され、前記パケット結合装置が、前記第１パケットと前記第２パケットとを、長手方向軸線に沿って結合し、前記第１のフロー方向が、前記長手方向軸線と第１の角度を画定し、前記第２のフロー方向が、前記長手方向軸線と第２の角度を画定し、前記第１の角度及び前記第２の角度が、約９０度よりも小さい、項目１に記載のフィードブロック。
［１１］
前記第１の角度及び前記第２の角度が、約５度〜約６０度の範囲である、項目１０に記載のフィードブロック。
［１２］
前記多層フローストリームが、多層光学フィルムへと製造される、項目１に記載のフィードブロック。
［１３］
前記第１パケット創出装置の少なくとも一部分を、前記第２パケット創出装置から隔てる、熱的分離区域を更に含み、前記熱的分離区域が、実質的に、前記第１パケット創出装置及び前記第２パケット創出装置を、互いに熱的に分離するように構成される、項目１に記載のフィードブロック。
［１４］
前記第１パケット創出装置が、全て互いに流体連通し、かつ前記第１の複数の高分子層を有する前記第１パケットを作り出すように構成される、第１の複数のフローチャネル、第１の複数の導管、第１の複数のスロット、及び第１の圧縮区域を含み、
前記第２パケット創出装置が、全て互いに流体連通し、かつ前記第２の複数の高分子層を有する前記第２パケットを作り出すように構成される、第２の複数のフローチャネル、第２の複数の導管、第２の複数のスロット、及び第２の圧縮区域を含む、項目１に記載のフィードブロック。
［１５］
前記第１パケット創出装置及び前記第２パケット創出装置が、１つ以上の挿入部材を含み、前記１つ以上の挿入部材が、前記第１パケット創出装置の、前記第１の複数の導管及び第１の複数のスロット、並びに前記第２パケット創出装置の、第２の複数の導管及び第２の複数のスロットを画定する、項目１４に記載のフィードブロック。
［１６］
前記１つ以上の挿入部材が、第１挿入部材、及び前記第１挿入部材とは別個の第２挿入部材を含み、前記第１挿入部材が、前記第１の複数の導管及び第１の複数のスロットを画定し、前記第２挿入部材が、前記第２の複数の導管及び第２の複数のスロットを画定する、項目１５に記載のフィードブロック。
［１７］
前記第１パケット創出装置及び前記第２パケット創出装置が、勾配プレートマニホールドを含み、前記勾配プレートマニホールドが、前記第１の複数のフローチャネル及び前記第２の複数のフローチャネルを画定する、項目１４に記載のフィードブロック。
［１８］
前記勾配プレートマニホールドが、第１勾配プレートマニホールド、及び前記第１勾配プレートマニホールドとは別個の第２勾配プレートマニホールドを含み、前記第１勾配プレートマニホールドが、前記第１の複数のフローチャネルを画定し、前記第２勾配プレートマニホールドが、前記第２の複数のフローチャネルを画定する、項目１７に記載のフィードブロック。
［１９］
前記第１パケット及び前記第２パケットが、前記第１圧縮区域及び前記第２圧縮区域内部を、第１のフロー方向で流れ、前記第１の複数の導管が、第２のフロー方向を規定し、前記第２の複数の導管が、第３のフロー方向を規定し、
前記第１のフロー方向が、前記第２のフロー方向及び前記第３のフロー方向とは異なる、項目１４に記載のフィードブロック。
［２０］
前記第１の複数のフローチャネル及び前記第２の複数のフローチャネルが、前記第１圧縮区域及び前記第２圧縮区域によって規定されるフロー方向に関して、前記第１の複数の導管及び前記第２の複数の導管の下方にある、項目１４に記載のフィードブロック。
［２１］
前記第１創出装置及び前記第２創出装置が、食い違い配置の構成を形成する、項目１に記載のフィードブロック。
［２２］
前記パケット結合装置が、第１延展マニホールドを含み、前記第１延展マニホールドが、前記第１パケットの前記第１の複数の高分子層を、前記第１パケットが前記第２パケットと結合される前に、ウェブ交差方向で延展するように構成される、項目１に記載のフィードブロック。
［２３］
前記パケット結合装置区域が、押出ダイを含み、前記押出ダイが、前記第１延展マニホールドを含む、項目２２に記載のフィードブロック。
［２４］
前記第１の複数の高分子層及び第２の複数の高分子層が、それぞれ、少なくとも２０個の個別の高分子層を含む、項目１に記載のフィードブロック。
［２５］
多層物品を製造するための方法であって、前記方法は、
第１パケット創出装置を介して、第１の複数の高分子層を含む第１パケットを形成することであって、前記第１の複数の高分子層が、少なくとも４つの第１個別高分子層を含むことと、
第２パケット創出装置を介して、第２の複数の高分子層を含む第２パケットを形成することであって、前記第２の複数の高分子層が、少なくとも４つの第２個別高分子層を含み、前記第１個別高分子層が、互いにほぼ同時に形成され、前記第２個別高分子層が、互いにほぼ同時に形成されることと、
パケット結合区域を介して、前記第１パケットと前記第２パケットとを結合し、前記第１の複数の高分子層及び第２の複数の高分子層を含む、多層フローストリームを形成することと、を含む、方法。
［２６］
前記第１パケットが、第１パケット創出装置を介して形成され、前記第２パケットが、第２パケット創出装置を介して形成され、前記第１パケット創出装置が、実質的に、前記第２パケット創出装置から熱的に分離される、項目２５に記載の方法。
［２７］
前記第１パケットが、実質的に第１のフロー方向で形成され、前記第２パケットが、実質的に第２のフロー方向で形成され、前記第１のフロー方向及び前記第２のフロー方向が、ほぼ同じである、項目２５に記載の方法。
［２８］
第３の複数の高分子層を含む第３パケットを形成することと、
前記第１、第２、及び第３のパケットを結合して、前記多層フローストリームを形成することであって、前記多層フローストリームが、前記第１、第２、及び第３の複数の高分子層を含むことと、を更に含む、項目２５に記載の方法。
［２９］
前記第１パケットが、前記第１の複数の層を実質的に構成する、第１材料及び第２材料を含み、前記第２パケットが、前記第２の複数の層を実質的に構成する、第３材料及び第４材料を含む、項目２５に記載の方法。
［３０］
前記第１材料が、実質的に前記第３材料と同じであり、前記第２材料が、実質的に前記第４材料と同じである、項目２９に記載の方法。
［３１］
前記第１の複数の第１層内の層の数が、前記第２の複数の第２層とほぼ等しい、項目２５に記載の方法。
［３２］
前記第１パケットが、実質的に第１のフロー方向で形成され、前記第２パケットが、実質的に第２のフロー方向で形成され、前記第１パケットと前記第２パケットとが、長手方向軸線に沿って結合され、前記第１のフロー方向が、前記長手方向軸線と第１の角度を画定し、前記第２のフロー方向が、前記長手方向軸線と第２の角度を画定し、前記第１の角度及び前記第２の角度が、約９０度よりも小さい、項目２５に記載の方法。
［３３］
前記第１の角度及び前記第２の角度が、約５度〜約６０度の範囲である、項目３２に記載の方法。
［３４］
前記多層フローストリームが、多層光学フィルムへと製造される、項目２５に記載の方法。
［３５］
熱的分離区域が、前記第１パケット創出装置の少なくとも一部分を、前記第２パケット創出装置から隔てて、実質的に、前記第１パケット創出装置及び前記第２パケット創出装置を、互いに熱的に分離する、項目２５に記載の方法。
［３６］
前記第１パケット創出装置が、全て互いに流体連通し、かつ前記第１の複数の高分子層を有する前記第１パケットを形成するように構成される、第１の複数のフローチャネル、第１の複数の導管、第１の複数のスロット、及び第１の圧縮区域を含み、
前記第２パケット創出装置が、全て互いに流体連通し、かつ前記第２の複数の高分子層を有する前記第２パケットを形成するように構成される、第２の複数のフローチャネル、第２の複数の導管、第２の複数のスロット、及び第２の圧縮区域を含む、項目２５に記載の方法。
［３７］
前記第１パケット創出装置及び前記第２パケット創出装置が、１つ以上の挿入部材を含み、前記１つ以上の挿入部材が、前記第１パケット創出装置の、前記第１の複数の導管及び第１の複数のスロット、並びに前記第２パケット創出装置の、第２の複数の導管及び第２の複数のスロットを画定する、項目３６に記載の方法。
［３８］
前記１つ以上の挿入部材が、第１挿入部材、及び前記第１挿入部材とは別個の第２挿入部材を含み、前記第１挿入部材が、前記第１の複数の導管及び第１の複数のスロットを画定し、前記第２挿入部材が、前記第２の複数の導管及び第２の複数のスロットを画定する、項目３７に記載の方法。
［３９］
前記第１パケット創出装置及び前記第２パケット創出装置が、勾配プレートマニホールドを含み、前記勾配プレートマニホールドが、前記第１の複数のフローチャネル及び前記第２の複数のフローチャネルを画定する、項目３６に記載の方法。
［４０］
前記勾配プレートマニホールドが、第１勾配プレートマニホールド、及び前記第１勾配プレートマニホールドとは別個の第２勾配プレートマニホールドを含み、前記第１勾配プレートマニホールドが、前記第１の複数のフローチャネルを画定し、前記第２勾配プレートマニホールドが、前記第２の複数のフローチャネルを画定する、項目３９に記載の方法。
［４１］
前記第１パケット及び前記第２パケットが、前記第１圧縮区域及び前記第２圧縮区域内部を、第１のフロー方向で流れ、前記第１の複数の導管が、第２のフロー方向を規定し、前記第２の複数の導管が、第３のフロー方向を規定し、
前記第１のフロー方向が、前記第２のフロー方向及び前記第３のフロー方向とは異なる、項目３６に記載の方法。
［４２］
前記第１の複数のフローチャネル及び前記第２の複数のフローチャネルが、前記第１圧縮区域及び前記第２圧縮区域によって規定されるフロー方向に関して、前記第１の複数の導管及び前記第２の複数の導管の下方にある、項目３６に記載の方法。
［４３］
前記第１パケット及び前記第２パケットを形成する、前記第１創出装置及び前記第２創出装置が、食い違い配置の構成にある、項目２５に記載の方法。
［４４］
前記第１パケットを前記第２パケットと結合する前に、前記パケット結合装置の第１延展マニホールドを介して、前記第１パケットを、ウェブ交差方向で延展することを更に含む、項目２５に記載の方法。
［４５］
前記パケット結合装置が、押出ダイを含み、前記押出ダイが、前記第１延展マニホールドを含む、項目４４に記載の方法。
［４６］
前記第１の複数の高分子層及び第２の複数の高分子層が、それぞれ、少なくとも２０個の個別の高分子層を含む、項目２５に記載の方法。
［４７］
第１の複数の高分子層を含む第１パケットを形成するための手段であって、前記第１の複数の高分子層が、少なくとも４つの第１個別高分子層を含む、手段と、
第２の複数の高分子層を含む第２パケットを形成するための手段であって、前記第２の複数の高分子層が、少なくとも４つの第２個別高分子層を含み、前記第１創出装置が、前記第１個別高分子層を、互いにほぼ同時に形成するように構成され、前記第２パケット創出装置が、前記第２個別高分子層を、互いにほぼ同時に形成するように構成される、手段と、
前記第１パケットと前記第２パケットとを結合し、前記第１の複数の高分子層及び第２の複数の高分子層を含む、多層フローストリームを形成するための手段と、を含む、フィードブロック。
【手続補正２】
【補正対象書類名】特許請求の範囲
【補正対象項目名】全文
【補正方法】変更
【補正の内容】
【特許請求の範囲】
【請求項１】
第１の複数の高分子層を含む第１パケットを形成する、第１パケット創出装置であって、前記第１の複数の層が、少なくとも４つの第１個別高分子層を含む、第１パケット創出装置と、
第２の複数の高分子層を含む第２パケットを形成する、第２パケット創出装置であって、前記第２の複数の層が、少なくとも４つの第２個別高分子層を含み、前記第１パケット創出装置が、前記第１個別高分子層を、互いにほぼ同時に形成するように構成され、前記第２パケット創出装置が、前記第２個別高分子層を、互いにほぼ同時に形成するように構成される、第２パケット創出装置と、
前記第１パケットと前記第２パケットとを結合するように構成される、パケット結合装置であって、前記パケット結合装置は、
前記第１パケット創出装置から前記第１パケットを受け取る第１チャネルと、
前記第２パケット創出装置から前記第２パケットを受け取る第２チャネルと、を含み、
前記第１チャネル及び前記第２チャネルが、前記第１パケットと前記第２パケットとを結合して、前記第１の複数の高分子層及び第２の複数の高分子層を含む、多層ストリームを形成するように構成される、パケット結合装置と、を含む、フィードブロック。
【請求項２】
多層物品を製造するための方法であって、前記方法は、
第１パケット創出装置を介して、第１の複数の高分子層を含む第１パケットを形成することであって、前記第１の複数の高分子層が、少なくとも４つの第１個別高分子層を含むことと、
第２パケット創出装置を介して、第２の複数の高分子層を含む第２パケットを形成することであって、前記第２の複数の高分子層が、少なくとも４つの第２個別高分子層を含み、前記第１個別高分子層が、互いにほぼ同時に形成され、前記第２個別高分子層が、互いにほぼ同時に形成されることと、
パケット結合区域を介して、前記第１パケットと前記第２パケットとを結合し、前記第１の複数の高分子層及び第２の複数の高分子層を含む、多層フローストリームを形成することと、を含む、方法。